【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
対応する複数の様々な周波数レンジ内の信号を受信するように構成された、複数のアンテナと、
前記複数の様々な周波数レンジに対応する複数の様々な通信周波数帯域内で、前記複数のアンテナを介してワイヤレス通信信号を受信するように構成された、ワイヤレス受信機電子回路と、
前記複数の様々な周波数レンジ内で前記複数のアンテナを介して受信された電磁波のエネルギーレベルを検出するように構成された、電磁波エネルギーレベル検出電子回路と、
(a)前記複数の様々な周波数レンジ内で前記電磁波エネルギーレベル検出電子回路によって検出された電磁波のエネルギーレベルの記録；および(b)前記複数の様々な周波数レンジのうちの1つまたは複数の周波数レンジ内で前記電磁波エネルギーレベル検出電子回路によって検出された前記電磁波のエネルギーレベルが、あらかじめ定義されたしきい値を越えたことに関するアラーム；のうちの少なくとも1つを提供するように構成された、プロセッサ電子回路と、
前記複数のアンテナによって受信されることになる前記複数の様々な周波数レンジとは異なる少なくとも1つのさらなる周波数レンジ内のワイヤレス信号を受信するための信号受信電子回路であって、前記電磁波エネルギーレベル検出電子回路が、前記少なくとも1つのさらなる周波数レンジ内の電磁波のエネルギーレベルを検出するようにさらに構成された、信号受信電子回路と
を備える、モバイル通信デバイス。
【請求項２】
各アンテナが、前記複数のアンテナのうちの他の各アンテナが受信するように構成された前記周波数レンジとは異なる、前記様々な周波数レンジのうちの対応する1つの周波数レンジ内の信号を受信するように構成された、または、前記信号受信電子回路が、電力充電信号を受信するように構成された充電誘導器、マイクロフォン、およびスピーカのうちの少なくとも1つを備える、または、前記複数の様々な通信周波数帯域が、前記複数の様々な周波数レンジ内にある、または、前記複数の様々な周波数レンジが、複数の様々な重複しない周波数帯域である、または、前記ワイヤレス受信機電子回路が、前記複数の様々な通信周波数帯域のうちの少なくとも1つの通信周波数帯域内のワイヤレス電話通信信号を受信するように構成された、または、前記電磁波エネルギーレベル検出電子回路が、エネルギーレベル検出用に受信された電磁波信号を復調するための少なくとも1つの信号経路を含む、請求項1に記載のモバイル通信デバイス。
【請求項３】
前記プロセッサ電子回路が、前記電磁波エネルギーレベル検出電子回路によって検出された電磁波のエネルギーレベルのピーク値を検出するように構成された、請求項1に記載のモバイル通信デバイス。
【請求項４】
前記プロセッサ電子回路が、検出されたピーク値を少なくとも1つのあらかじめ定義されたしきい値と比較するようにさらに構成された、または、前記プロセッサ電子回路が、検出されたピーク値があらかじめ定義されたしきい値を越えたことに関するアラーム信号を供給するようにさらに構成された、請求項3に記載のモバイル通信デバイス。
【請求項５】
前記プロセッサ電子回路が、前記電磁波エネルギーレベル検出電子回路によって検出された電磁波のレベルに少なくとも一部は基づいて、ユーザによる電磁波吸収の推定値を決定するように構成された、請求項1に記載のモバイル通信デバイス。
【請求項６】
前記プロセッサ電子回路が、さらにユーザの年齢、体重、および性別のうちの少なくとも1つを含むユーザプロファイル情報に少なくとも一部は基づいて、電磁波吸収の前記推定値を決定するように構成された、請求項5に記載のモバイル通信デバイス。
【請求項７】
前記プロセッサ電子回路が、電磁波の検出されたレベルを、電磁波のそれらのレベルが検出された検出位置および検出時間のうちの少なくとも1つに関連付けるように構成された、または、前記プロセッサ電子回路が、前記受信された電磁波の周波数を検出し、前記検出された周波数を、電磁波の既知の発生源のあらかじめ決定された周波数と比較して、前記受信された電磁波の1つまたは複数の潜在的な発生源を識別するように構成された、請求項1に記載のモバイル通信デバイス。
【請求項８】
位置情報を提供するためのGPSベースの位置検出電子回路をさらに備え、前記プロセッサ電子回路が、電磁波の検出されたレベルを、前記位置検出電子回路によって提供された位置情報に関連付けるように構成された、請求項1に記載のモバイル通信デバイス。
【請求項９】
通信信号および他の電磁波を受信するように複数のアンテナを配置するステップであって、前記複数のアンテナが、対応する複数の様々な周波数レンジ内の信号を受信するように構成された、ステップと、
前記複数の様々な周波数レンジに対応する複数の様々な通信周波数帯域内で、前記複数のアンテナを介してワイヤレス通信信号を受信するステップと、
前記複数の様々な周波数レンジ内で前記複数のアンテナを介して受信された電磁波の電磁波エネルギーレベルを検出するステップと、
(a)前記複数の様々な周波数レンジ内で電磁波エネルギーレベル検出電子回路によって検出された電磁波のエネルギーレベルの記録、および(b)前記複数の様々な周波数レンジのうちの1つまたは複数の周波数レンジ内で前記電磁波エネルギーレベル検出電子回路によって検出された前記電磁波のエネルギーレベルが、あらかじめ定義されたしきい値を越えたことに関するアラームのうちの少なくとも1つを提供するステップと、
前記複数のアンテナによって受信されることになる前記複数の様々な周波数レンジとは異なる少なくとも1つのさらなる周波数レンジ内で、前記複数のアンテナに関連付けられていない信号受信電子回路を介して、ワイヤレス信号を受信するステップと、
前記少なくとも1つのさらなる周波数レンジ内の電磁波のエネルギーレベルを検出するステップと
を含む、モバイル通信デバイスを動作させる方法。
【請求項１０】
各アンテナが、前記複数のアンテナのうちの他の各アンテナが受信するように構成された前記周波数レンジとは異なる、前記様々な周波数レンジのうちの対応する1つの周波数レンジ内の信号を受信するように構成された、または、前記信号受信電子回路が、電力充電信号を受信するように構成された充電誘導器、マイクロフォン、およびスピーカのうちの少なくとも1つを備える、または、前記複数の様々な通信周波数帯域が、前記複数の様々な周波数レンジ内にある、請求項9に記載の方法。
【請求項１１】
前記複数の様々な通信周波数帯域のうちの少なくとも1つの通信周波数帯域内で、ワイヤレス電話通信信号を受信するステップをさらに含む、請求項9に記載の方法。
【請求項１２】
電磁波のエネルギーレベルを検出するステップが、前記複数の様々な周波数レンジ内で前記アンテナを介して受信された電磁波のエネルギーレベルのピーク値を検出するステップを含む、請求項9に記載の方法。
【請求項１３】
検出されたピーク値を少なくとも1つのあらかじめ定義されたしきい値と比較するステップをさらに含む、または、検出されたピーク値があらかじめ定義されたしきい値を越えたことに関するアラーム信号を供給するステップをさらに含む、請求項12に記載の方法。
【請求項１４】
前記電磁波エネルギーレベル検出電子回路によって検出された電磁波のレベルに少なくとも一部は基づいて、ユーザによる電磁波吸収の推定値を決定するステップをさらに含む、請求項9に記載の方法。
【請求項１５】
電磁波吸収の前記推定値を決定するステップが、ユーザの年齢、体重、および性別のうちの少なくとも1つを含むユーザプロファイル情報に少なくとも一部は基づく、請求項14に記載の方法。
【請求項１６】
電磁波の検出されたレベルを、電磁波のそれらのレベルが検出された検出位置および検出時間のうちの少なくとも1つに関連付けるステップをさらに含む、または、GPS位置情報を提供し、電磁波の検出されたレベルを前記GPS位置情報に関連付けるステップをさらに含む、または、前記受信された電磁波の周波数を検出し、前記検出された周波数を、電磁波の既知の発生源のあらかじめ決定された周波数と比較して、前記受信された電磁波の1つまたは複数の潜在的な発生源を識別するステップをさらに含む、請求項15に記載の方法。
【請求項１７】
対応する複数の様々な周波数レンジ内の信号を受信するように構成された複数のアンテナと、前記複数の様々な周波数レンジに対応する複数の様々な通信周波数帯域内で、前記複数のアンテナを介してワイヤレス通信信号を受信するように構成された電子回路とを有するモバイルフォンで使用するためのコンピュータプログラムであって、請求項9から16のいずれか一項に記載のステップを行うためのコードを含む、コンピュータプログラム。